(57)【要約】      （修正有）【課題】ハウスにおける換気システム（暖気及び／又は冷気の調整）は、資源の高騰と、環境維持等の面から、省エネ等の達成と、コストの削減化、作業環境維持、作業者の健康管理等の面からも、その要求が急務になりつつある。【解決手段】ヒートポンプの室内機２ｂの吐出口の近傍に、循環扇４を設置し、循環扇４で送る暖気又は冷気を、循環扇４と、長手方向１ａに設けた他の循環扇４０，４１に送り、循環扇４と他の循環扇４０，４１とで、ハウス１の長手１ａ方向に略水平方向の暖気又は冷気の流れと、広域的な暖気又は冷気の流れを確保し、ハウス全体へ均等に前記暖気又は冷気が拡充する。【選択図】図１
2010017093.tif 000002
【特許請求の範囲】
【請求項１】
温室、ビニールハウス等のハウス内に、ヒートポンプの室内機を設置し、
前記ハウス外に、ヒートポンプの室外機を設置したハウスの冷暖房装置において、
このヒートポンプの室内機の吐出口の近傍に、循環扇を設置し、この循環扇で送る暖気又は冷気を、前記循環扇と、長手方向に設けた他の循環扇に送り、この循環扇と他の循環扇とで、前記吐出口から排出される暖気又は冷気と、吐出口の近傍に滞留する内気をミキシングしながら、前記ハウスの長手方向と略水平方向に暖気又は冷気の流れと、広域的な暖気又は冷気の流れを確保し、ハウス全体へ均等に前記暖気又は冷気が拡充することを目的としたハウスの冷暖房装置。
【請求項２】
請求項１に記載のハウスの冷暖房装置であって、
前記ヒートポンプの室内機の吐出口に、ダクトを設け、前記ダクトの近傍に、循環扇を設置し、前記循環扇と、長手方向に設けた他の循環扇に送り、この循環扇と他の循環扇とで、前記吐出口から排出される暖気又は冷気と、吐出口の近傍に滞留する内気をミキシングしながら、前記ハウスの長手方向と略水平方向に暖気又は冷気の流れと、広域的な暖気又は冷気の流れを確保し、ハウス全体へ均等に前記暖気又は冷気が拡充することを目的としたハウスの冷暖房装置。
【請求項３】
請求項１に記載のハウスの冷暖房装置において、
この循環扇を、前記ヒートポンプの室内機の吐出口の長手方向、又は垂直方向に設置し、前記吐出口から、排出された暖気又は冷気と、前記吐出口の近傍に滞留する内気の吸込が行える場所、距離に設け、その作物に対応した温度等の諸条件に応じて、変更することを特徴としたハウスの冷暖房装置。
【請求項４】
請求項１に記載のハウスの冷暖房装置において、
前記循環扇及び他の循環扇は、吊架手段により、ハウスの天井面より吊架し、この吊架手段には、長さ、高さ、角度の調整を行う調整手段を設けることを特徴としたハウスの冷暖房装置。
【請求項５】
温室、ビニールハウス等のハウス内に、ヒートポンプの室内機を設置し、
前記ハウス外に、ヒートポンプの室外機を設置したハウスの冷暖房装置において、
このヒートポンプの室内機の吐出口の近傍に、循環扇を設置し、この循環扇で送る暖気又は冷気を、前記循環扇と、長手方向に設けた他の循環扇に送り、この循環扇と他の循環扇とで、前記吐出口から排出される暖気又は冷気と、吐出口の近傍に滞留する内気をミキシングしながら、前記ハウスの長手方向と略水平方向に暖気又は冷気の流れと、広域的な暖気又は冷気の流れを確保し、ハウス全体へ均等に前記暖気又は冷気が拡充することを目的としたハウスの冷暖房方法。
【発明の詳細な説明】
【技術分野】
【０００１】
本発明は、果菜類、根菜類、その他の野菜類を栽培するハウス（ビニールハウス、ガラスハウス等のハウス）の冷暖房装置又は冷暖房方法に関する。
【背景技術】
【０００２】
ハウスにおける冬季栽培や夏季栽培等の通年栽培において、そのハウス内の温度管理は、絶対条件であり、健全な生育環境の育成と、収穫の拡充、品質の向上等には、各人が所望する物の効率的かつ簡易な栽培等にとって最低限必要となる条件である。
【０００３】
そして、特に要望されていることは、ハウス内の送風（空気の流れ）における、このハウス内の全域に、例えば、その長手方向に略水平方向の空気の流れと、広域的な空気の流れを確保する構成とすることで、例えば、送風領域の拡充と、効率的な送風を確保し、送風量の低量化と、ファンの低容量化等による経済的な効果及び／又は省資源化の達成と、ランニングコストの低廉化等の省エネを促進する。
【０００４】
以上の状況から、その改良と、要望に応え得る研究と、これらに関する文献も種々散見される。以下、これらに関する文献を先行技術として列挙する。
【０００５】
最初に、文献（１）は、特開平５−４５０２１の「気化潜熱型冷房装置」で、この構造は、明細書の段落番号〔００１３〕に記載されているが、温室内に多数の細孔を略均等に穿設する通気性シートからなるダクトを設け、このダクトの先端を閉塞し、そして、基端に、送風機から室内外の空気を選択的に取り入れて圧送するが、除湿機等により湿気を除いた乾燥空気、又はヒートポンプ等により、除湿且つ乾燥空気を取り入れて、前記ダクト内に圧送することもあり、このダクト内に圧送された空気が、ダクトを通過する間に、気化し、その気化潜熱により、ダクト内の空気を冷却し、その冷却空気が、ダクトの多数細孔から温室内に放出され、効率的な冷房効果を図る。
【０００６】
また、文献（２）は、特開２００８−１１６１７８の「冷暖房方法及び装置と除湿方法及び装置」であり、この構造は、ヒートポンプ式冷暖房器を使用し、冷房運転時に、屋外に設置した室外機により上昇した暖気を、ダクトファンにより、建屋内に導入しつつ、室内機より発生する冷気を建屋のルーフとルーフの間隙に放出し、また、暖房運転時に、室外機により、発生する暖気をルーフと天井との間隙に放出し、暖房性能又は冷房性能の向上と、設定温度に対して、連続除湿を可能とする目的を図る。
【０００７】
【特許文献１】特開平５−４５０２１
【特許文献２】特開２００８−１１６１７８
【発明の開示】
【発明が解決しようとする課題】
【０００８】
文献（１）は、ダクト全長に穿設した細孔を介して、乾燥空気の気化を行う構成であるが、この気化された空気は、ハウス内の冷房効果に寄与するものであり、ハウスの環境維持を行うに留まり、ハウスの長手方向に略水平方向の空気の流れと、広域的な空気の流れを確保するには、充分でないこと、またハウス内の植物の生育環境等を確保することは困難視される。また、ダクトの老朽化に伴い、ダクトが劣化し、また、新しくダクトを取替える必要性等が生じ、コスト面においても、問題があると考えられる。
【０００９】
次に、文献（２）は、ハウス内の暖気又は冷気の循環を図り、ダクトファンにより、建屋内に導入しつつ、室内機より発生する暖気又は冷気を建屋のルーフとルーフの間隙に放出し、暖房性能又冷房性能の向上を意図するが、建屋のルーフとルーフの間隙に放出するだけに留まるため、ハウス全体の暖房性能又は冷房性能の向上にあまり期待できないこと、また、ハウス内の植物の生育環境等を確保することが充分ではないこと等が考えられる。
【００１０】
（イ）ヒートポンプの室内機に吐出口より排出する冷気又は暖気を、吐出口から排出される暖気又は冷気と、吐出口の近傍に滞留する内気をミキシングしながら、ハウスの長手方向において、略均一な略水平方向の空気の流れと、略均一な広域的な空気の流れを確保し、ハウス内の保温効果又は保冷効果を高め、成績係数ＣＯＰを上昇させ、冷暖房性能の向上を図る。
（ロ）冬季において、暖房運転を行う際に、ヒートポンプの室内機から発生する暖気をハウス全体に飛散させることができるため、暖気の充分な活用と、また、送風機よりハウス内全域へと瞬時に飛散することから、暖気の熱の損失を最小限に抑えることができ、短時間で暖房効果を向上させることができる。
（ハ）夏季の運転において、温度が高い場合には、ハウス内の作物の体感温度が下がり、作物の生育環境が向上し、各人の所望する良質な作物が生産されることになる。
（ニ）また、冬季等の温度が非常に低い時には、暖房機の運転を併用することで、ハウスの加湿割合が上昇し、暖房費の運転費用の削減につながる。
（ホ）ハウス内の全域に対して、均等に送風が行えることから、暖気又は冷気が充分に拡散され、場所により、温度のムラがなくなり、各人が所望する温度への温度調整が極めて容易となる。
（ヘ）  ベト病、灰カビ病、ススカビ病等の多湿条件で出やすい疫病を防止することができ、農薬の使用回数、使用量を減少させることができる。また、高温に弱い作物の栽培も可能となり、重宝する。
（ト）  作物への直接送風及び過乾燥を回避し、葉面呼吸の確保を図ること、さらに温湿度管理の適正化及び／又は空気の置換を図り、作物の生育環境の確保と、収穫量の拡充を図る。さらに、ハウス全体へ、万遍なく、送風を行うことにより、作物の葉面境界層が薄くなり、作物の炭酸ガスの吸収率が向上するため、光合成速度を高めることができ、作物の生長効率が上昇する。
【課題を解決するための手段】
【００１１】
請求項１の発明は、上記（イ）〜（ト）の目的を達成することを意図する。
【００１２】
この請求項１は、温室、ビニールハウス等のハウス内に、ヒートポンプの室内機を設置し、
前記ハウス外に、ヒートポンプの室外機を設置したハウスの冷暖房装置において、
このヒートポンプの室内機の吐出口の近傍に、循環扇を設置し、この循環扇で送る暖気又は冷気を、前記循環扇と、長手方向に設けた他の循環扇に送り、この循環扇と他の循環扇とで、前記吐出口から排出される暖気又は冷気と、吐出口の近傍に滞留する内気をミキシングしながら、前記ハウスの長手方向と略水平方向に暖気又は冷気の流れと、広域的な暖気又は冷気の流れを確保し、ハウス全体へ均等に前記暖気又は冷気が拡充することを目的としたハウスの冷暖房装置である。
【００１３】
請求項２の発明は、請求項１の目的を達成すること、この目的を達成するのに最適なダクトを提供することを意図する。
【００１４】
請求項２は、請求項１に記載のハウスの冷暖房装置であって、
前記ヒートポンプの室内機の吐出口に、ダクトを設け、前記ダクトの近傍に、循環扇を設置し、前記循環扇と、長手方向に設けた他の循環扇に送り、この循環扇と他の循環扇とで、前記吐出口から排出される暖気又は冷気と、吐出口の近傍に滞留する内気をミキシングしながら、前記ハウスの長手方向と略水平方向に暖気又は冷気の流れと、広域的な暖気又は冷気の流れを確保し、ハウス全体へ均等に前記暖気又は冷気が拡充することを目的としたハウスの冷暖房装置である。
【００１５】
請求項３の発明は、請求項１の目的を達成すること、この目的を達成するのに最適な循環扇の位置関係を提供することを意図する。
【００１６】
請求項３は、請求項１に記載のハウスの冷暖房装置において、
この循環扇を、前記ヒートポンプの室内機の吐出口の長手方向、又は垂直方向に設置し、前記吐出口から、排出された暖気又は冷気と、前記吐出口の近傍に滞留する内気の吸込が行える場所、距離に設け、その作物に対応した温度等の諸条件に応じて、変更することを特徴としたハウスの冷暖房装置である。
【００１７】
請求項４の発明は、請求項１の目的を達成すること、この目的を達成するのに最適な吊架手段及び調整手段の構造を提供することを意図する。
【００１８】
請求項４は、請求項１に記載のハウスの冷暖房装置において、
前記循環扇及び他の循環扇は、吊架手段により、ハウスの天井面より吊架し、この吊架手段には、長さ、高さ、角度の調整を行う調整手段を設けることを特徴としたハウスの冷暖房装置である。
【００１９】
請求項５の発明は、請求項１の目的を達成すること、この目的を達成するのに最適な冷暖房方法を提供することを意図する。
【００２０】
請求項５は、温室、ビニールハウス等のハウス内に、ヒートポンプの室内機を設置し、
前記ハウス外に、ヒートポンプの室外機を設置したハウスの冷暖房装置において、
このヒートポンプの室内機の吐出口の近傍に、循環扇を設置し、この循環扇で送る暖気又は冷気を、前記循環扇と、長手方向に設けた他の循環扇に送り、この循環扇と他の循環扇とで、前記吐出口から排出される暖気又は冷気と、吐出口の近傍に滞留する内気をミキシングしながら、前記ハウスの長手方向と略水平方向に暖気又は冷気の流れと、広域的な暖気又は冷気の流れを確保し、ハウス全体へ均等に前記暖気又は冷気が拡充することを目的としたハウスの冷暖房方法である。
【発明の効果】
【００２１】
この請求項１の発明は、温室、ビニールハウス等のハウス内に、ヒートポンプの室内機を設置し、
ハウス外に、ヒートポンプの室外機を設置したハウスの冷暖房装置において、
ヒートポンプの室内機の吐出口の近傍に、循環扇を設置し、循環扇で送る暖気又は冷気を、循環扇と、長手方向に設けた他の循環扇に送り、循環扇と他の循環扇とで、吐出口から排出される暖気又は冷気と、吐出口の近傍に滞留する内気をミキシングしながら、ハウスの長手方向と略水平方向に暖気又は冷気の流れと、広域的な暖気又は冷気の流れを確保し、ハウス全体へ均等に前記暖気又は冷気が拡充することを目的としたハウスの冷暖房装置である。
【００２２】
従って、請求項１は、下記の効果を達成できること等の特徴を有する。
【００２３】
（イ）ヒートポンプの室内機より発生する冷気又は暖気を、ハウス内の全域へとおくりこみ、ハウスの長手方向において、略均一な略水平方向の空気の流れと、略均一な広域的な空気の流れを確保し、ハウス内の保温効果又は保冷効果を高め、成績係数ＣＯＰを上昇させ、冷暖房性能の向上を図る。
（ロ）冬季において、暖房運転を行う際に、ヒートポンプの室内機から発生する暖気をハウス全体に飛散させることができるため、暖気の充分な活用と、また、送風機よりハウス内全域へと瞬時に飛散することから、暖気の熱の損失を最小限に抑えることができ、短時間で暖房効果を向上させることができる。
（ハ）夏季の運転において、温度が高い場合には、ハウス内の作物の体感温度が下がり、作物の生育環境が向上し、各人の所望する良質な作物を生産することをできる。
（ニ）また、冬季等の温度が非常に低い時には、暖房機の運転を併用することで、ハウスの加湿割合が上昇し、暖房費の運転費用の削減につながる。
（ホ）ハウス内の全域に対して、均等に送風が行えることから、暖気又は冷気が充分に拡散され、場所により、温度のムラがなくなり、各人が所望する温度への温度調整が極めて容易となる。
（ヘ）ベト病、灰カビ病、ススカビ病等の多湿条件で出やすい疫病を防止することができ、農薬の使用回数、使用量を減少させることができる。また、高温に弱い作物の栽培も可能となり、重宝する。
（ト）作物への直接送風及び過乾燥を回避し、葉面呼吸の確保を図ること、さらに温湿度管理の適正化及び／又は空気の置換を図り、作物の生育環境の確保と、収穫量の拡充を図る。さらに、ハウス全体へ、万遍なく、送風を行うことにより、作物の葉面境界層が薄くなり、作物の炭酸ガスの吸収率が向上するため、光合成速度を高めることができ、作物の生長効率が上昇する。
【００２４】
請求項２の発明は、請求項１に記載のハウスの冷暖房装置であって、
前記ヒートポンプの室内機の吐出口に、ダクトを設け、前記ダクトの近傍に、循環扇を設置し、前記循環扇と、長手方向に設けた他の循環扇に送り、この循環扇と他の循環扇とで、前記吐出口から排出される暖気又は冷気と、吐出口の近傍に滞留する内気をミキシングしながら、前記ハウスの長手方向と略水平方向に暖気又は冷気の流れと、広域的な暖気又は冷気の流れを確保し、ハウス全体へ均等に前記暖気又は冷気が拡充することを目的としたハウスの冷暖房装置である。
【００２５】
従って、請求項２は、請求項１の目的を達成できること、この目的を達成するのに最適なダクトを提供できること等の特徴を有する。
【００２６】
請求項３の発明は、請求項１に記載のハウスの冷暖房装置において、
この循環扇を、前記ヒートポンプの室内機の吐出口の長手方向、又は垂直方向に設置し、前記吐出口から、排出された暖気又は冷気と、前記吐出口の近傍に滞留する内気の吸込が行える場所、距離に設け、その作物に対応した温度等の諸条件に応じて、変更することを特徴としたハウスの冷暖房装置である。
【００２７】
従って、請求項３は、請求項１の目的を達成できること、この目的を達成するのに最適な循環扇の位置関係を提供できること等の特徴を有する。
【００２８】
請求項４の発明は、請求項１に記載のハウスの冷暖房装置において、
循環扇及び他の循環扇は、吊架手段により、ハウスの天井面より吊架し、吊架手段には、長さ、高さ、角度の調整を行う調整手段を設けることを特徴としたハウスの冷暖房装置である。
【００２９】
従って、請求項４は、請求項１の目的を達成できること、この目的を達成するのに最適な吊架手段及び調整手段の構造を提供できること等の特徴を有する。
【００３０】
請求項５の発明は、温室、ビニールハウス等のハウス内に、ヒートポンプの室内機を設置し、
前記ハウス外に、ヒートポンプの室外機を設置したハウスの冷暖房装置において、
ヒートポンプの室内機の吐出口の近傍に、循環扇を設置し、循環扇で送る暖気又は冷気を、循環扇と、長手方向に設けた他の循環扇に送り、循環扇と他の循環扇とで、吐出口から排出される暖気又は冷気と、吐出口の近傍に滞留する内気をミキシングしながら、ハウスの長手方向と略水平方向に暖気又は冷気の流れと、広域的な暖気又は冷気の流れを確保し、ハウス全体へ均等に前記暖気又は冷気が拡充することを目的としたハウスの冷暖房方法である。
【００３１】
従って、請求項５は、請求項１の目的を達成できること、この目的を達成するのに最適な冷暖房方法を提供できること等の特徴を有する。
【発明を実施するための最良の形態】
【００３２】
本発明の一例を説明する。
【００３３】
図１は第１の実施例を示したハウス全体の俯瞰図、図２は図１に示した一部省略のハウス全体の側面図、図３−１は第２の実施例を示したハウス全体の俯瞰図、図３−２は第３の実施例を示したハウス全体の俯瞰図、図４は第３の実施例を示したハウス全体の俯瞰図、図５−１はヒートポンプの室内機の第１の従来例を示した斜視図、図５−２はヒートポンプの室内機の第２の従来例を示した斜視図、図５−３はヒートポンプの室内機の第３の従来例を示した斜視図、図５−４はヒートポンプの室内機の第４の従来例を示した斜視図、図６−１は循環扇の第１の例を示した正面斜視図、図６−２は図６−１の例を示した背面斜視図、図７は循環扇の第２の例を示した正面斜視図、図８−１は循環扇に吊架手段を設けた縮小状態を示した正面斜視図、図８−２は循環扇の吊架手段を設けた伸縮状態を示した正面斜視図である。
【００３４】
図１において、単棟、連棟等の温室、ビニールハウス等のハウス１の長手方向１ａの一方の妻面１００ａの外側にヒートポンプの室外機２ａを設置する。そして、このヒートポンプの室外機２ａに冷媒を通過させる冷媒配管３を介して、前記ハウス１の内側に設けたヒートポンプの室内機２ｂを設置する。このヒートポンプの室内機２ｂの暖気又は冷気を吐出する吐出口２０の近傍に、ハウス１の長手方向１ａと略水平方向に、つまり、一方の妻面１００ａから他方の妻面１００ｂに向けて、ヒートポンプの室内機２ｂよりも、他方の妻面１００ｂ側に、循環扇４を設ける。この循環扇４は、長手方向１ａと略水平方向に、暖気又は冷気を送るため、この長手方向１ａと略水平方向に、他の循環扇（４０、４１・・・以下、４０とする）を設ける。そして、この循環扇４と他の循環扇４０とで、長手方向１ａに略水平方向の暖気又は冷気の流れと、広域的な暖気又は冷気の流れを確保し、ハウス１全体へ均等に前記暖気又は冷気が拡充する。
【００３５】
図３−１、図３−２に示すように、前記循環扇４は、ヒートポンプの室内機２ｂの吐出口２０の大きさ・形状等によって、循環扇４を複数設置することも可能であり、より広域的な略水平方向の暖気又は冷気の流れを生成することが可能となる。そして、この吐出口２０の側面に、吸込口２０ａを設けることにより（ヒートポンプの室内機２ｂよりも、突出させることにより）、この吸込口２０ａから、ハウス１内に滞留する内気とミキシングし、ハウス１内の空気の循環の有効利用が図れる。また、この吸込口２０ａを設けることにより、ヒートポンプの室内機２ｂ内部に設けられた機器のヒートアップを防止することができ、前記機器を負担なく、稼動させることができる。
【００３６】
次に、ヒートポンプの室外機２ａとヒートポンプの室内機２ｂについて、詳細に説明すると、このヒートポンプの室外機２ａは、その内部に、圧縮機５と熱交換器６を収納してあり、ヒートポンプの室内機２ｂは、膨張弁７と熱交換器８を収納する構造である。そして、この圧縮機５、熱交換器６、膨張弁７、熱交換器８を介して、暖気又は冷気を生成する。
【００３７】
詳細に説明すると、外気の温度が低い場合において、暖房運転を行う際、ヒートポンプの室外機２ａは、熱交換器６が凝縮器として、作用する。逆に、外気の温度が高い場合において、冷房運転を行う際、熱交換器６が蒸発器として、作用する。なお、このヒートポンプの室外機２ａは、外気から取り込まれた熱源を、その冷媒として利用する場合において、気体、液体等のどのような媒体も可能であり、熱伝導率等を考慮する。そして、前記熱源は、土壌に蓄積する熱を利用する方法以外にも、地中に滞留（蓄積する）地下水熱（地下水源）を利用する方法があり、この方法を採用する場合は、地下水熱（地下水源）をポンプ等（図示しない）で汲み上げ、ヒートポンプの室外機２ａに取り入れることにより、その熱の損失を抑え、有効利用を図る。
【００３８】
ヒートポンプの室内機２ｂは、前記の如く、暖房運転を行う際、熱交換器６が蒸発器として、作用する。逆に、冷房運転を行う際、熱交換器８が凝縮器として、作用する。そして、このヒートポンプの室内機２ｂと、前記冷媒配管３を介して、冷媒を通過させて、ヒートポンプの室外機２ａを循環させる。そして、このヒートポンプの室外機２ａからヒートポンプの室内機２ｂへと送り込まれた冷媒は、前記熱交換器８により、熱交換を行い、ヒートポンプの室内機２ｂに設けた吐出口２０より、暖気又は冷気を排出する。
【００３９】
そして、この吐出口２０には、ダクト２１を添設することも可能である。このダクト２１の形状は、変更することができ、吐出口２０から排出される暖気又は冷気が、ダクト２１により、所定の箇所に排出することができ、ハウス１内の温度調整を容易に行うことができる。また、ダクトの素材は、アルミ、樹脂等の様々なダクトを使用するが、高温高圧にも耐えるような部材であれば、その材質は不問とする。そして、前記のように、ダクト２１に、吸込口（図示しない）を設けることにより、この吸込口から吸気されるハウス１内を滞留する内気を包括的に循環扇４へと取り入れることができ、内気の有効利用を図ることができる。
【００４０】
次に、吐出口２０の近傍に、前記循環扇４が設ける。この循環扇４について、詳細に説明すると、循環扇４は、筒形のケーシング４ａと、このケーシング４ａの内部に設けた吸込側に設けたファン４ｂと、このファン４ｂを稼動するファン用のモータ４ｃと、このファン用のモータ４ｃを支持し、電気的な機材を収容する基盤部４ｄと、吐出側の端部に設けた整流板４ｆと、で構成されている。前記ケーシング４ａは、前記ファン４ｂと同様に、基盤部４ｄを支持する、ファン４ｂに向かって侵入する虞がある障害物を遮断する為の保護ガード４ｅが設けられている。この保護ガード４ｅを設けることで、基盤部４ｄ及び／又はファン用のモータ４ｃと、ファン４ｂを、ケーシング４ａで、確実に支持し、強度の確保と、他の部材への固止の容易化等を図る。そして、この保護ガード４ｅは、ケーシング４ａに向って、ブラケット４ｇが、略均等に四股に伸張している。
【００４１】
また、循環扇４の他の一例として、ケーシング４ａに間隙Ｓを設けて、この間隙Ｓから外気の導入を促し、吸い込み側より吸い込まれた暖気又は冷気を、ミキシングしながら、吐出側へと送り込まれ、前記整流板４ｆにより、そのミキシングされた外気が、整流され、ファン４ｂを介して、圧送される。つまり、ケーシング４ａに、間隙Ｓを設けることにより、ケーシング４ａの周辺に滞留（浮遊）する外気が吸い込まれるため、送風量が増加し、従来よりも、安定した暖気又は冷気の流れの生成と、広域的な暖気又は冷気の流れを確保し、ハウス全体へ均等に前記暖気又は冷気が拡充に寄与することができる。なお、この間隙Ｓは、ケーシング４ａの長さに応じて、設けるが、その部材の強度を確保し、他の部材への固止を容易化にすることも考慮しなければならない。
【００４２】
次に、吊架手段９と調整手段９ａについて説明すると、吊架手段９は、前記循環扇４の保護ガード４ｅに設けたブラケット４ｇと、ハウス１の天井面１ｃの短手方向１ｂと平行に設置した梁１０とを確実に、安定した状態で、循環扇４を支持する。そして、この吊架手段９は、ハウス１の面積に応じて、循環扇４の設置数、設置箇所を変更し、移動できるように、着脱容易に設ける。なお、吊架手段９は、例えば、ケーシング４ａにネジ等の固定手段を介して、支持杆９０を設ける以外にも、ローラチェーンや、スプロケット等を使用する方法も考えられ、確実に循環扇４が支持できれば、その構造は、不問である。なお、前記梁１０は、ハウス１の梁を使用することにより、その梁１０を代替することができ、部品点数の減少、着脱作業の容易化を図る。
【００４３】
次に、調整手段９ａについて、説明すると、この調整手段９ａは、前記支持杆９０を例にすると、その支持杆９０を伸縮する部材、伸縮杆９１を内設する。そして、この伸縮杆９１の伸縮を行う際は、前記支持杆９０を抱持し、この支持杆９０を回転する。この回転により、伸縮杆９１が伸張されるので、所望の長さで、この支持杆９０を逆方向に回転する。この逆回転により、支持杆９０と伸縮杆９１が圧接され、確実に伸縮杆９１がズレを生じることなく、所定の位置で、停止（固止）することが可能となる。
【００４４】
次に、循環扇４とは、別に設けた、他の循環扇４０について、説明すると、その構造は、循環扇４と同じであり、吊架手段７及び調整手段８を設ける。そして、循環扇４と、そのハウス１の長手方向１ａと水平方向に設ける。従って、複数の循環扇４を吐出口２０の近傍に設けた場合、この長手方向に、同数の他の循環扇４０を設置する。
【００４５】
そして、上記の構成に加えて、例えば、ハウス１の一方の妻面１００ａに、外気の導入を行う導入ファン１０１を設け、ハウスの全体から略均等に外気の導入を促進する。また、このハウス１の他方の妻面１００ｂに、外気の排出を促す換気扇１０２を設ける構造も可能である。なお、この導入ファン１０１及び換気扇１０２を前記ヒートポンプの室外機２ａ及びヒートポンプの室内機２ｂと併用することで、ハウス１内の温度調整の容易化、ランニングコストの節約等の効果が期待できる。
【００４６】
尚、図示しないが、ハウス１の天井面１ｃ、空間部１ｄに、前記導入ファン１０１を設置し、広域的な暖気又は冷気の流れを確保により、暖気又は冷気の加速及び／又は増大することも可能であり、この例では、相乗的な特性が考えられる。これによって、外気導入式の強制換気システムが構築できること、又は温度調整を提案できること等の実用性がある。
【００４７】
次に、この構造に基づくハウス１の暖気又は冷気の流れ（冷暖房方法）を下記に説明する。
【００４８】
まず、降雪時、夜間時等の外気温が低い場合等を例に説明すると、ハウス１の近傍に滞留している外気（土穣熱源又は水冷熱源等の熱源も含む。）は、ハウスの室外機２ａより、ハウスの室外機２ａ内へと取り込まれる。この取り込まれた外気は、熱交換器６が蒸発器の役割を果たすことにより、蒸発する。この蒸発された外気は、ガス化し、冷媒となる。そして、この冷媒は、圧縮機５により、圧縮され、高温高圧の冷媒となる。この高温高圧の冷媒が、冷媒配管３を通過して、ヒートポンプの室内機２ｂへと送り込まれ、このヒートポンプの室内機２ｂの吐出口２０から、暖気として、ハウス１内へと排出される。そして、この暖気は、循環扇４から他の循環扇４０へと送り、ハウス１内の長手方向と略水平方向に、暖気の流れを生成するため、循環扇４を稼動する。この循環扇４の稼動を行うには、基盤部４ｄを介して、ファン用のモータ４ｃが作動し、この作動により、回転軸（図示しない）が回転し、この回転軸に軸支されたファン４ｂが回転する。そして、このファン４ｂの回転により、暖気が吸込側より吸い込まれ、ケーシング４ａ内部を通過して、吐出側から排出される構造となる。また、この暖気には、その吐出口２０から排出される暖気に加えて、ハウス１内に滞留する内気も、ミキシングしながら（一緒に巻き込みながら）排出する。そして、この吐出側から排出される暖気は、他の循環扇４０へと送り込まれる。そして、他の循環扇４０も、循環扇４と同様に、同じ構造であり、同様な働き（稼動又は停止）を行うため、ヒートポンプの室内機２ｂより出た暖気が、循環扇４と他の循環扇４０とで、ハウス１と同じ長手方向と、同様に、略水平方向の暖気又は冷気の流れを生成し、ハウス１内で生育している作物にとって、望ましい温度環境を生成すること、ハウス１全体に飛散させることができるため、暖気の充分な活用と、また、送風機よりハウス１内全域へと瞬時に飛散することから、暖気の熱の損失を最小限に抑えることができ、短時間で暖房効果を向上させる。なお、図２の矢印は、暖気又は冷気の流れを示す。
【００４９】
以上は、降雪時、夜間時等の外気温が低い場合等を例に説明を行ったが、逆に、夏季時、日中等の外気温が高い場合等は、ヒートポンプの室内機２ｂの吐出口２０から冷気が排出される。この冷気を、前記と同様にハウス１内の内気をミキシングして、循環扇４と他の循環扇４０とを介して、ハウス１内の長手方向と略水平方向の冷気の流れと、広域的な冷気の流れを確保し、ハウス１全体へ均等に冷気が拡充し、前記と同様な効果を生じさせることが可能となる。
【００５０】
暖房運転、又は、冷房運転のヒートポンプの運転を行う際における切り替え、又、循環扇４、他の循環扇４０等の各機器の運転は、タイマー等の制御機能や、温湿度を検知する温室度センサー等の制御盤１１をハウス１内外の適所に設け、長手方向１ａに略水平方向の暖気又は冷気の流れと、広域的な暖気又は冷気の流れを確保し、ハウス１全体へ均等に前記暖気又は冷気が拡充する効果を生じる。
【図面の簡単な説明】
【００５１】
【図１】図１は第１の実施例を示したハウス全体の俯瞰図
【図２】図２は図１に示した一部省略のハウス全体の側面図
【図３−１】図３−１は第２の実施例を示したハウス全体の俯瞰図
【図３−２】図３−２は第３の実施例を示したハウス全体の俯瞰図
【図４】図４は第３の実施例を示したハウス全体の俯瞰図
【図５−１】図５−１はヒートポンプの室内機の第１の従来例を示した斜視図
【図５−２】図５−２はヒートポンプの室内機の第２の従来例を示した斜視図
【図５−３】図５−３はヒートポンプの室内機の第３の従来例を示した斜視図
【図５−４】図５−４はヒートポンプの室内機の第４の従来例を示した斜視図
【図６−１】図６−１は循環扇の第１の例を示した正面斜視図
【図６−２】図６−２は図６−１の例を示した背面斜視図
【図７】図７は循環扇の第２の例を示した正面斜視図
【図８−１】図８−１は循環扇に吊架手段を設けた縮小状態を示した正面斜視図
【図８−２】図８−２は循環扇の吊架手段を設けた伸縮状態を示した正面斜視図
【符号の説明】
【００５２】
１        ハウス
１ａ      長手方向
１ｂ      短手方向
１ｃ      天井面
１０      梁
１００ａ  一方の妻面
１００ｂ  他方の妻面
１０１    導入ファン
１０２    換気扇
２ａ      ヒートポンプの室外機
２ｂ      ヒートポンプの室内機
２０      吐出口
２０ａ    吸込口
２１      ダクト
３        冷媒配管
４        循環扇
４ａ      ケーシング
４ｂ      ファン
４ｃ      モータ
４ｄ      基盤部
４ｅ      保護ガード
４ｆ      整流板
４ｇ      ブラケット
４０      他の循環扇
４１      他の循環扇
５        圧縮機
６        熱交換器
７        膨張弁
８        熱交換器
９        吊架手段
９ａ      調整手段
９０      支持杆
９１      伸縮杆
１１      制御盤
Ｓ        間隔
【図１】
2010017093.tif 000003
【図２】
2010017093.tif 000004
【図３−１】
2010017093.tif 000005
【図３−２】
2010017093.tif 000006
【図４】
2010017093.tif 000007
【図５−１】
2010017093.tif 000008
【図５−２】
2010017093.tif 000009
【図５−３】
2010017093.tif 000010
【図５−４】
2010017093.tif 000011
【図６−１】
2010017093.tif 000012
【図６−２】
2010017093.tif 000013
【図７】
2010017093.tif 000014
【図８−１】
2010017093.tif 000015
【図８−２】
2010017093.tif 000016